(57)【要約】【課題】背景画像の上にカラーの固定パターンを表示する際に発光素子の焼き付けを防止する。【解決手段】画素マトリクス上に隣接して配置された所定数の画素２１、２３、２５、２７がユニット画素群を構成する。ユニット画素群が黄色を表示する複数の画素と青色を表示する画素を含む。ユニット画素群に含まれるすべての画素が同一時間ずつ第２の色を順番に表示する。第２の色を表示する画素以外の画素は第１の色を表示する。各タイミングにおいて、人間は第１の色を感じ、かつ発光素子の輝度劣化量を等しくすることができる。【選択図】図３
2011017746.tif 000002
【特許請求の範囲】
【請求項１】
自発光型のディスプレイの背景画像にカラーの固定パターンを表示する電子機器であって、
画素マトリクス上に隣接して配置された複数の画素が前記固定パターンの一部を表示するユニット画素群を構成し、
発光するサブ画素の輝度情報で構成され前記ユニット画素群を形成する画素の数に一致した数の複数の発光パターンを前記ユニット画素群が表示し、
前記ユニット画素群に含まれるすべての画素が前記複数の発光パターンのそれぞれを所定のタイミングで順番に切り換えて表示する
電子機器。
【請求項２】
前記複数の発光パターンが、第１の色を表示する複数の第１の発光パターンと該第１の発光パターンとは異なる第２の発光パターンとを含み、前記第１の発光パターンを表示する画素の輝度の合計が前記第２の発光パターンを表示する画素の輝度の合計より高い請求項１に記載の電子機器。
【請求項３】
前記複数の第１の発光パターンの数が３で前記第２の発光パターンの数が１である請求項２に記載の電子機器。
【請求項４】
前記第１の発光パターンの数が５で前記第２の発光パターンの数が１である請求項２に記載の電子機器。
【請求項５】
複数の前記ユニット画素群が、前記固定パターンを表示するために前記画素マトリクスの水平ライン上に隣接して配置され、隣接する水平ライン同士で前記第２の発光パターンを表示する画素の位置が所定の画素数だけ水平方向にシフトしている請求項２から請求項４のいずれかに記載の電子機器。
【請求項６】
複数の前記ユニット画素群が、前記固定パターンを表示するために前記画素マトリクスの垂直ライン上に隣接して配置され、隣接する垂直ライン同士で前記第２の発光パターンを表示する画素の位置が所定の画素数だけ垂直方向にシフトしている請求項２から請求項４のいずれかに記載の電子機器
【請求項７】
前記背景画像を表示する画素マトリクスに前記ユニット画素群が配置され、前記ユニット画素群は前記固定パターンを表示する発光パターンとは異なる複数の発光パターンのそれぞれを所定のタイミングで切り換えて前記背景画像を表示する請求項１から請求項６のいずれかに記載の電子機器。
【請求項８】
前記複数の発光パターンが第１の色を表示する第３の発光パターンと第２の色を表示する第４の発光パターンと第３の色を表示する第５の発光パターンとを含み、前記第３の発光パターンを表示する画素の輝度の合計が、前記第４の発光パターンを表示する画素の輝度の合計および前記第５の発光パターンを表示する画素の輝度の合計のいずれよりも高い請求項１に記載の電子機器。
【請求項９】
前記第４の発光パターンがいずれのサブ画素も発光させない非発光状態を示す請求項８に記載の電子機器。
【請求項１０】
自発光型のディスプレイの背景画像にカラーの固定パターンを表示する電子機器であって、
画素マトリクス上に隣接して配置された複数の画素が前記固定パターンの一部を表示するユニット画素群を構成し、
前記ユニット画素群は複数の画素が第１の色を表示し残りの１つの画素が第２の色を表示し、
前記ユニット画素群に含まれるすべての画素が前記第２の色を所定のタイミングで順番に表示する
電子機器。
【発明の詳細な説明】
【技術分野】
【０００１】
本発明は、自発光型ディスプレイの画素の焼きつきを防ぐことができる電子機器に関する。
【背景技術】
【０００２】
フラット・パネル・ディスプレイ（ＦＰＤ）の発光方式は、液晶ディスプレイ（ＬＣＤ）に代表される非自発光型と、プラズマ・ディスプレイ・パネル（ＰＤＰ）や有機エレクトロルミネッセンス・ディスプレイ（ＯＥＬＤ）などの自発光型に大別することができる。自発光型のＦＰＤでは、画素を形成する発光素子の劣化が、発光時間が経過するとともに進行して、同じエネルギーを供給しても発光当初よりも輝度が低下するいわゆる輝度劣化をきたす。ある画素の発光素子の輝度劣化が周囲の画素の発光素子よりも進行すると、それらの画素に同一の色を表示したときに人間の目で劣化した発行素子の存在を認識できる状態となるいわゆる焼き付きという現象が発生する。たとえば、灰色のデスクトップ画面に、カラー表示のアイコンを静止画像として長時間表示する場合には、その後当該アイコンが表示された領域にデスクトップ画面と同じ灰色を表示するとアイコンを表示していた画素が表示する灰色と当初からデスクトップ画面を表示していた画素との間には焼き付きで明るさの相違が生ずる。
【０００３】
焼き付きは、発光素子間の劣化の進行の差により発生する。灰色は赤、緑、青の各発光素子を同じエネルギーで駆動するため１画素における３つの発光素子が同等に劣化する。したがって、デスクトップ画面のような背景画像の全体を輝度が均一な灰色で表示すれば焼き付きの問題は発生しない。しかし、アイコンを表示するための画素は、背景画像より輝度が高かったり、カラー表示のために赤、緑、青を構成する発光素子の輝度に相違があったりして背景画像と同じ時間だけ発光させても輝度劣化の程度に差がでてくる。
【０００４】
特許文献１は、有機ＥＬディスプレイに表示する固定パターンにより自発光素子に発生する焼き付きを防止するために、画面に素子の劣化量を均一にする複数の配色パターンを表示する技術を開示する。同文献には、文字部分を表示するＲ（赤）、Ｇ（緑）、Ｂ（青）の基本原色を同一の輝度で１／３時間ずつ表示し、背景部分をＲＧＢの１／３の輝度で連続的に表示することで、文字部分の表示に寄与する素子の劣化量と背景部分の表示に寄与する劣化量を一致させる。同文献には、ＲＧＢ間を切り換えるときにＲとＧ、ＧとＢ、ＢとＲをそれぞれ混合することも記載されている。
【０００５】
特許文献２は、自動車のインストルメントパネルなどの表示装置における焼付き防止を図るために、表示パネルに静的に表示される情報の表示色を、表示時間の経過に伴って変化させる技術を開示する。特許文献３には、有機ＥＬ素子の輝度寿命半減時間（寿命）は、初期輝度の２乗に反比例することが記載されている。非特許文献１には、有機ＥＬ素子の輝度劣化曲線は、拡大された指数関数でフィッティングできることが記載されている。
【先行技術文献】
【特許文献】
【０００６】
【特許文献１】特開２００７−２８６２９６号公報
【特許文献２】特開２００８−１３９８９７号公報
【特許文献３】特許第３６８７３９３号公報
【非特許文献】
【０００７】
【非特許文献１】有機ＥＬ素子における輝度劣化メカニズム  石井昌彦  R&D Review of Toyota CRDL Vol.38 No.2
【発明の概要】
【発明が解決しようとする課題】
【０００８】
特許文献１に記載された方法は、輝度と表示時間との組み合わせで各有機ＥＬ素子の劣化量を均一にするものであるが、劣化量を均一にするために固定パターンである文字部分の色が１／３時間ずつ変化する。したがって、固定パターンが色の変化を問題にしない場合はよいが、固定パターンの色を変化させたくない場合は採用できない。たとえば、色の組み合わせで形成されたパターンまたは模様により所定の情報を提供するアイコンは、色が変化するとユーザに誤った情報を伝えたり違和感を与えたりするので色が変化することは好ましくない。また、固定パターンが自動車の計測パネルのシンボルである場合は、運転中に運転者がシンボルをみる時間が短いので色の変化は一層好ましくない。
【０００９】
ＯＥＬＤに採用する有機ＥＬ発光素子（以下、単に発光素子という。）は、発光時間が長いほどまた初期輝度が高いほど輝度の劣化量が増大する。背景画像を表示する画素と、コンピュータのアイコンやタスクバー、または自動車の計測パネルのシンボルなどのような固定パターンを表示する画素はＯＥＬＤが動作する間は連続的に発光するため、サブ画素の初期輝度の相違が発光素子の劣化の程度として表れる。
【００１０】
そこで本発明の目的は、自発光型のディスプレイにおいて背景画像に重ねて固定パターンを表示する際に、画素の焼き付きを防ぐことができる電子機器を提供することにある。さらに本発明の目的は、固定パターンの色を変化させないで画素の焼き付きを防ぐことができる電子機器を提供することにある。
【課題を解決するための手段】
【００１１】
本発明にかかる電子機器は、自発光型のディスプレイの背景画像にカラーの固定パターンを重ねて表示する際に、固定パターンの色を変化させないようにしながら背景画像を表示する画素と固定パターンを表示する画素の輝度劣化量を同等に進行させる。ここに、固定パターンの色が変化しないとは、ユーザが認識する色が実質的に変化しないことを意味し、画素の表示状態が変化しないことを意味するものではない。発光素子は、発光時間が長いほど、また、輝度が高いほど輝度劣化量は多くなる。背景画像を表示する画素も固定パターンを表示する画素もディスプレイが動作している間は連続的に発光するが、発光しているサブ画素の種類と輝度は表示する画像により異なるので、発光時間が同じであったとしても輝度劣化量はサブ画素ごとに変わる。
【００１２】
本発明では、固定パターンを表示する画素を時分割発光しながら、背景画像に対して固定パターンを表示する画素の発光時間を短くし、かつ輝度を背景画像よりも高くすることで、背景画像を表示する画素と固定パターンを表示する画素の輝度劣化量を同一にする。固定パターンを表示する画素の発光時間を短くすると、これまでは固定パターンの色を変えざるを得なかったが、本発明では固定パターンを表示する画素を、目的とする色に対応する発光パターンを表示する画素と目的外の色に対応する発光パターンを表示する画素で構成し、発光パターンを画素間で定期的に巡回させる。本発明では、時分割発光と発光パターンの巡回を組み合わせた時分割巡回方式により固定パターンを表示する。
【００１３】
発光素子は、発光時間を短くしたときに連続的に発光する発光素子と輝度劣化量を同一にするために、発光時間の短縮の程度に反比例する程度まで初期輝度を低下させる必要がないという性質を備えている。本発明では、この性質を利用して発光時間を短くした画素に人間が感ずる色を支配させて目的とする色を表示する。ディスプレイは電子機器に内蔵されていても、外部に接続されるタイプのものでもよい。ディスプレイには、画素マトリクスが形成され、画素マトリクス上に背景画像と固定パターンが同時に表示される。
【００１４】
画素マトリクス上に隣接して配置された複数の画素がユニット画素群を形成する。ユニット画素群は連続的に配置された複数の画素で構成され、複数の画素は好適には水平ライン方向または垂直ライン方向に配置される。ただし、本発明はこのような配置に限定するものではなく、斜め方向に規則正しくユニット画素群を配置してもよい。ユニット画素群は複数の発光パターンを表示する。複数の発光パターンはそれぞれサブ画素の輝度情報で構成され、発光パターンの数はユニット画素群を形成する画素の数に一致している。ユニット画素群に含まれるすべての画素が複数の発光パターンのそれぞれを所定のタイミングで順番に切り換えて前記固定パターンを表示する。
【００１５】
このような表示方法によれば、各画素が所定の発光パターンを表示する回数を設定することで、ユニット画素群が複数の発光パターンの表示を一巡させたときに各発光パターンの相対発光時間を制御することができる。そして、複数の発光パターンの中の２つ以上を同じ輝度情報に設定して輝度の積分効果を発揮させるようにすれば、ユニット画素群が表示する色をいずれのタイミングで表示するときも支配することができる。輝度劣化の同一性の程度を高めるためには発光パターンを切り換えるタイミングを同一経過時間ごとに設定することが望ましい。
【００１６】
一例では、複数の発光パターンが、第１の色を表示する複数の第１の発光パターンと第１の発光パターンとは異なる第２の発光パターンとを含み、第１の発光パターンを表示する画素の輝度の合計が第２の発光パターンを表示する画素の輝度の合計より高くすることで、人間が第１の色を強く感ずるようにすることができる。第１の発光パターンの数を３にして第２の発光パターンの数を１にしたり、第１の発光パターンの数を５にして第２の発光パターンの数を１にしたりすることで、ユニット画素群を空間軸に展開して画素マトリクスを形成したときに、第１の色に対する第２の色の表示位置を空間的にバランスよく設定することができる。
【００１７】
背景画像は、３つのサブ画素を同一輝度で表示して各サブ画素の輝度劣化量を同一にできる灰色で表示することができる。あるいは背景画像を表示する領域にユニット画素群を配置し、当該ユニット画素群が固定パターンを表示する発光パターンとは異なる複数の発光パターンのそれぞれを所定のタイミングで切り換える時分割巡回表示により背景画像を表示するようにしてもよい。複数の発光パターンが第１の色を表示する第３の発光パターンと第２の色を表示する第４の発光パターンと第３の色を表示する第５の発光パターンとを含み、第３の発光パターンを表示する画素の輝度の合計が、第４の発光パターンを表示する輝度の合計および第５の発光パターンを表示する画素の輝度の合計のいずれよりも高くなるようにしてもよい。このとき、第２の発光パターンがいずれのサブ画素も発光させない非発光状態を示すようにすることもできる。
【発明の効果】
【００１８】
本発明により、自発光型のディスプレイにおいて背景画像に重ねて固定パターンを表示する際に、画素の焼き付きを防ぐことができる電子機器を提供することができた。さらに本発明により、固定パターンの色を変化させないで画素の焼き付きを防ぐことができる電子機器を提供することができた。
【図面の簡単な説明】
【００１９】
【図１】ＯＥＬＤに表示する固定パターンの一例を示す図である。
【図２】固定パターンの一部を表示する４つの画素を、比較的周期の長い時間で時分割して発光するときの様子を示す図である。
【図３】図２に示したユニット・パターンを表示するユニット画素群のサブ画素の発光状態を描いた図である。
【図４】サブ画素がさまざまな相対発光時間で発光するときの様子を示す。
【図５】相対発光時間と輝度比の関係を示すグラフである。
【図６】輝度の積分効果を説明する図である。
【図７】調整周期を４にして発光パターン数を２にしたときの固定パターン１０の表示方法を説明する図である。
【図８】ＯＥＬＤに表示された固定パターンの画素領域の一部を示す画素マトリクスを示す図である。
【図９】図８の画素マトリクスが表示する画面の様子を示す図である。
【図１０】画素マトリクスにさまざまな調整周期のユニット・パターンを適用したときの画像パターンを示す図である。
【図１１】図２に示したユニット画素群を、垂直方向の空間軸に複数個隣接して配置した画素マトリクスを示す図である。
【図１２】ユニット画素群の色支配画素を構成するサブ画素を異なる輝度で発光させる例を示す図である。
【図１３】本実施の形態にかかる固定パターンの表示方法を実行する電子機器の概略の機能ブロック図である。
【発明を実施するための形態】
【００２０】
［相対輝度劣化量］
非特許文献１によれば、有機ＥＬの発光素子を発光させたとき、正規化された経過時間における初期輝度に対して輝度が低下する割合に相当する相対輝度Ｌｒは式（１）となる。ここに、Ｔｎは寿命半減期間を１として正規化した相対発光時間である。所定の経過時間までの間に連続して発光する場合はＴｎが１となり、７５％の時間だけ発光する場合はＴｎが０．７５になる。また、対象とする発光素子に対して係数αは１．８５で係数βは０．５８となっている。特許文献３によれば、発光素子の寿命は、初期輝度比Ｌｉの２乗に反比例するので、所定の経過時間において、初期輝度比Ｌｉで相対発光時間Ｔｎだけ発光する発光素子の、連続して発光する発光素子に対する相対輝度劣化量Ｌｄは式（２）となる。初期輝度比Ｌｉは、相対発光時間が１の発光素子の初期輝度に対する当該発光素子の初期輝度の比である。
【００２１】
【数１】
2011017746.tif 000003
【００２２】
ここで、初期輝度比Ｌｉｏで連続して所定の経過時間（Ｔｎ＝１）だけ発光した発光素子Ａと、初期輝度比Ｌｉｂで所定の経過時間の７５％の時間（Ｔｎ＝０．７５）だけ発光した発光素子Ｂと、初期輝度比Ｌｉｃで所定の経過時間の２５％の時間（Ｔｎ＝０．２５）だけ発光した発光素子Ｃがあるものとする。式（２）に基づいて発光素子Ａと発光素子Ｂの相対輝度低下量Ｌｄを計算すると、所定の経過時間において両者の相対輝度劣化量Ｌｄを等しくするには、発光素子Ｂの初期輝度比Ｌｉｂを発光素子Ａの初期輝度比Ｌｉｏに対して、１．０６倍にすればよいことがわかる。発光素子Ｂは、発光素子Ａよりも相対発光時間Ｔｎが短いため、初期輝度比を高くすることで相対輝度劣化量Ｌｄを一致させることができる。このときの初期輝度比Ｌｉｂと初期輝度比Ｌｉｏ（＝１）の比を輝度比Ｌｉという。
【００２３】
同様にして、発光素子Ｃの初期輝度比Ｌｉｃを発光素子Ａの初期輝度比Ｌｉｏに対して輝度比Ｌｉが１．３７倍になるようにすれば、所定の経過時間における発光素子Ｃと発光素子Ａの相対輝度劣化量Ｌｄを一致させることができる。発光素子Ｃは発光素子Ｂよりも相対発光時間が短いので、相対輝度劣化量Ｌｄが発光素子Ａと一致する初期輝度比Ｌｉｃは一層高くなる。このとき、発光素子Ｂと発光素子Ｃの相対輝度劣化量も一致する。
【００２４】
注目すべき点は、発光素子Ｂは発光素子Ｃよりも３倍だけ相対発光時間Ｔｎが長いが、相対輝度劣化量Ｌｄを一致させるには、発光素子Ｂの輝度比を発光素子Ｃの輝度比の１／３倍まで下げる必要はなく、この場合では７７％まで下げるだけでよいということである。本発明は、相対輝度劣化量を同一にする場合に相対発光時間の短縮の割合と初期輝度の増加の割合が反比例しないという発光素子の特質に対する知見に基づいている。
【００２５】
［固定パターンの輝度劣化］
図１は、ＯＥＬＤに表示する固定パターンの一例を示す図である。本実施の形態にかかるＯＥＬＤは、サブ画素に赤、緑、青の発光材料が独立した構造の発光方式を採用している。そして、画素が任意の色を発光する際にはサブ画素を独立した輝度で発光させるため、サブ画素の相対輝度劣化量は相互に独立して増大する。固定パターン１０は、背景画像１１に重なる状態で表示される。固定パターン１０は、色で表現する画像で、星形領域１３、十字領域１５、および円形領域１７の相互に色が異なる３つの領域で形成されている。固定パターン１０は、色相が時間的に変化するとユーザにとって不都合を生じる画像を対象にしており、たとえばパーソナル・コンピュータのデスクトップに表示するアイコンやタスクバーなどを例示することができる。あるいは、固定パターン１０は、自動車に搭載された表示器に表示される文字やシンボルを例示することができる。
【００２６】
背景画像１１は灰色で表示される。加法混色で同じ輝度の赤、緑、青を合成して生成する白色、黒色、灰色の無彩色を画素が表示する場合は、各画素を構成する３つのサブ画素を同一の輝度で同一の時間だけ発光することになるため、背景画像１１を表示するサブ画素の相対輝度劣化量は相互に等しくなり、相互間では焼き付きの問題は生じない。本発明においては、背景画像１１は灰色に限定する必要はなく、背景画像１１に以下に説明する時分割巡回方式による固定パターン１０を表示する方法を適用して固定パターンとは異なる色相をもたせるようにしてもよい。これに対して固定パターン１０の画像の色は、色相、彩度、および明度（輝度）により決定されることになるため、長時間固定パターン１０の画像の色が変化しないと固定パターンの中の色の異なる領域を表示する画素間および固定パターンを表示する画素と背景画像を表示する画素間で相対輝度劣化量に差が生じて焼き付きの問題が発生する。
【００２７】
したがって、発光素子の焼き付きを防ぐためには、背景画像１１および固定パターン１０を表示する各画素のサブ画素について、相対輝度劣化量が同一になるように相対発光時間および輝度比を制御する必要がある。固定パターン１０を表示する画素は色を表示するため、ある画素の３つのサブ画素は相互に異なる輝度比で発光する。そして、各サブ画素の発光時間と輝度比を輝度劣化量が等しくなるように調整するためには、無彩色を表示しない限り固定パターン１０の色を変化させる必要がある。本実施の形態では以下に説明する時分割巡回表示方式を採用して、各サブ画素の相対発光時間と輝度比を輝度劣化量が背景画像１１と同じになるように設定して、かつ固定パターンの色を変化させないようにする。
【００２８】
［時分割巡回表示方式］
図２は、固定パターン１０の一部を表示する４つの画素を、比較的周期の長い時間で時分割巡回方式により発光するときの様子を示す図である。図２には、４つの画素２１、２３、２５、２７が空間軸上に隣接して配置されたユニット画素群２０を示している。空間軸は画素マトリクスの水平ラインまたは垂直ラインとすることができる。あるいは、空間軸は画素マトリクスの斜めラインにすることもできる。各画素は、赤、緑、青の３つのサブ画素で構成されている。各画素２１、２３、２５、２７は、発光するサブ画素の色とその輝度比で特徴付けられる発光パターンＡ、Ｂ、Ｃ、Ｄのいずれかで表示する。
【００２９】
ユニット画素群２０の任意の画素において、発光パターンＡ、Ｂ、Ｃ、Ｄは時間軸上でＡ→Ｄ→Ｃ→Ｂの順番に遷移しさらにその遷移を繰り返す。たとえば、画素２１が表示する発光パターンはＡ→Ｄ→Ｃ→Ｂ→Ａ→Ｄ・・・と遷移する。みかたを変えると、発光パターンＡ、Ｂ、Ｃ、Ｄは、空間軸上のユニット画素群２０の中で同様の遷移を繰り返す。ここで、空間軸上に配置されたユニット画素群２０が時間軸上の所定のタイミングで表示する４つの発光パターンの組をユニット・パターンという。ユニット・パターンは、時間軸上で発光パターンが遷移する数だけ存在しここでは４個になる。したがって、各ユニット・パターン１〜４において特定の画素の発光パターンは、遷移する順番で空間軸方向に位相が１画素ずつずれている。ユニット・パターン１〜４は、そこに含まれる発光パターンによりユニット画素群２０が表示する色を決定する。
【００３０】
各ユニット・パターン１〜４は、ユニット画素群２０で同一の時間ずつ表示されるものとする。この各ユニット・パターンが表示される時間を単位発光時間ということにする。４つのユニット・パターンは、ユニット・パターン１から順番に単位発光時間ずつ表示されて遷移し、ユニット・パターン４に到達するとユニット・パターン１に戻り、以下このサイクルを繰り返す。すべてのユニット・パターンを１回表示する時間を調整周期という。調整周期は、各画素２１、２３、２５、２７の相対輝度劣化量が背景画像１１を表示する画素と同一になるまでの時間を表している。
【００３１】
空間軸上では、ユニット画素群２０が表示するユニット・パターンは、時間軸上で切り換わるごとに１画素分だけ右方向に移動する。ユニット・パターンの数とユニット画素群２０の画素の数を一致させると、ユニット画素群２０の各画素２１、２３、２５、２７は、調整周期の間に各発光パターンＡ、Ｂ、Ｃ、Ｄを同じ単位発光時間だけ表示する。ここで、各ユニット・パターンは単位発光時間で発光することを前提にすれば、調整周期をそこに含まれるユニット・パターンの数で表すことができる。各ユニット・パターンに含まれる４つの発光パターンを適宜選択すると、選択された発光パターンの相対発光時間を調整周期に対して１／４の単位で調整することができる。たとえば、２つの発光パターンを同一にすればそれを表示するサブ画素の相対発光時間は２／４になり、３つの発光パターンを同一にすればそれを発光するサブ画素の相対発光時間は３／４になる。４つの発光パターンを同一にすれば、連続発光になり背景画像を表示する画素と相対輝度劣化量を同一にすることはできない。
【００３２】
ここでは、発光パターンＡ、Ｂ、Ｃはすべて赤と緑のサブ画素だけを発光し、背景画像１１のサブ画素に対するそれらの輝度比を１．０６に設定する。また発光パターンＤは、青のサブ画素だけを発光し背景画像１１のサブ画素に対する輝度比を１．３７に設定する。１回の調整周期が終了すると、各画素２１、２３、２５、２７の各サブ画素は、発光パターンＡ、Ｂ、Ｃで３／４の相対発光時間だけ発光し、発光パターンＤで１／４の相対発光時間だけ発光する。
【００３３】
発光パターンＡ、Ｂ、Ｃを表示するサブ画素はすべて赤と緑でその輝度比は１．０６なので相対輝度劣化量が背景画像を表示する画素と等しくなる。また、発光パターンＤを表示するサブ画素も輝度比が１．３７なので、相対輝度劣化量が背景画像を表示する画素と等しくなる。このとき、赤と緑で発光するサブ画素を加法混色することで、発光パターンＡ、Ｂ、Ｃを表示する画素は黄色を表示し、発光パターンＤを表示する画素は青色を表示する。その際に、各ユニット・パターンを表示するユニット画素群２０に対して人間が感ずる色を検討する。各ユニット・パターンは、黄色を表示する３つの画素と青を表示する１つの画素で構成され、青の画素と黄色の画素の相対位置はユニット・パターン相互間で異なっている。
【００３４】
時分割発光の周期がある程度長い場合は、人間は空間軸方向の各画素の積分輝度で明るさを感ずるので、全体的な画面の色も積分輝度の高い画素が表示する色に支配される。積分輝度は、同じ発光パターンで発光する画素の数と輝度比の積で計算することができる。発光パターンＡ、Ｂ、Ｃを表示する画素の積分輝度は、１．０６×３＝３．１８で、発光パターンＤを表示する画素の積分輝度は、１．３７であり両者間には２．３２倍の差があるので、人間は調整周期の間に表示されるいずれのユニット・パターンにおいても黄色を強く感ずる。
【００３５】
調整周期の間に青を表示する画素の位置はユニット画素群２０の中で４回変化することになるので、各ユニット・パターンを表示するユニット画素群２０は、厳密には同一の色を表示しているとはいえないが、積分輝度の差は変化しないため人間が認識する色はほとんど変化しないので、本明細書ではこのようにして表示した色を同一の色として説明する。発光パターンＡ、Ｂ、Ｃを発光するような画素はユニット・パターンの色を支配する意義を有しており、以後このような画素を色支配画素ということにする。これに対して、発光パターンＤを発光するような画素は、各サブ画素の輝度劣化量を均一にする意義を有しており、色支配画素が目的とする色とは異なる色を表示する。以後このような画素を劣化調整画素ということにする。ユニット画素群２０は必ず色支配画素と劣化調整画素を含む。色支配画素は必ず複数の画素で構成されるが、積分輝度に有意な差を設けることができる限り劣化調整画素は１個でも複数個でもよい。
【００３６】
図３は、図２に示したユニット・パターンを表示するユニット画素群２０のサブ画素の発光状態を描いた図である。図３には、背景画像を表示する画素２９も示している。赤（Ｒ）、緑（Ｇ）、青（Ｂ）に対応する棒の長さは輝度比に対応する。
【００３７】
［ユニット・パターンの数］
これまで、ユニット・パターンの数およびユニット画素群を構成する画素数が４の場合の時分割巡回表示方式について説明してきたが、本発明は、ユニット・パターンの数がそれ以外の場合にも適用することができる。表１は、さまざまな相対発光時間で表示した画素について、連続して発光する画素と相対輝度劣化量が等しくなる輝度比Ｌｉを式（２）に基づいて計算した結果を示す。調整周期Ｐは、そこに含まれるユニット・パターンの数で表している。発光パターン数Ｑは、１つの調整周期Ｐのなかで各画素が発光する同一の発光パターンの数を示している。同一の発光パターンを表示する画素の相対発光時間はＱ／Ｐで計算することができる。また、同一の発光パターンを表示する画素の積分輝度はＬｉ×Ｑで計算することができる。
【００３８】
【表１】
2011017746.tif 000004
【００３９】
図４は、サブ画素がさまざまな相対発光時間で発光するときの様子を示す。図４には、調整周期として３、４、５、６の４つを例示している。単位発光時間は、各ユニット・パターンを表示している時間であり、図４ではいずれの調整周期についても絶対値が等しくなるように描いている。ただし、サブ画素の相対輝度劣化量を同一にするためには、当該調整周期における相対発光時間を調整すればよいので、単位発光時間の絶対値は調整周期に応じて異なる値にしてもよい。たとえば、調整周期の数が３の場合と６の場合では、単位発光時間を同一にすると後者の調整周期は２倍になってしまうので、調整周期を先に決定して単位発光時間をそれに合わせるように設定してもよい。
【００４０】
図５は、表１に示した相対発光時間と輝度比の関係を示すグラフである。図５によれば、グラフからいずれかの２点を抽出したときに、相対輝度劣化量を同一にするためには、相対発光時間を短くする割合に比べて輝度比を増加させる割合が小さいことがわかる。色支配画素が表示する色の空間軸方向の積分輝度の効果で人間が当該色を強く感ずるようにするには、劣化調整画素と色支配画素の積分輝度の比が大きいほうが効果的である。調整周期が６の場合に、劣化調整画素の数を１とし色支配画素の数を５とすれば、表１より積分輝度の差は５．２０／１．５２で３．４２倍になる。これに対し、調整周期が３の場合に、劣化調整画素の数を１とし色支配画素の数を２とすれば、表１より積分輝度の差は２．１８／１．２８で１．７０倍になる。したがって、色支配画素の数と劣化調整画素の数の比を大きくしたほうが色支配画素の効果を高めることができるので、人間は色支配画素が表示する色を強く感ずる。
【００４１】
ユニット画素群２０が同一のユニット・パターンで固定パターンを表示している限りは、人間が固定パターンの色の変化を感ずることはない。ユニット・パターンが遷移すると劣化調整画素の位置が変化するので、人間は若干の色の相違を感ずる場合があるかも知れない。その場合に、１つのユニット・パターンを表示する単位発光時間は比較的長くすることが考えられる。そして、長い単位発光時間を確保しようとすれば、調整周期が長くなるため相対輝度劣化量が等しくなるまでの時間が長くなり、その間に輝度劣化量のアンバランスが生ずる。さらに、図５に示したように、相対発光時間を短くするほど劣化調整画素の輝度比を大きくする必要がある。輝度比を大きくするためには、十分な輝度の余裕がある発光素子を採用したり、背景画像を表示する画素の輝度を下げたりする必要があるので、色支配画素の数と劣化調整画素の数の比はこれらを考慮して選択する必要がある。
【００４２】
背景画像を表示するサブ画素と固定パターンを表示するサブ画素との間で、相対輝度劣化量を同一にしながら、積分効果により人間が感ずる固定パターンの色を各ユニット・パターンで同一にできるのは、すでに説明したように、発光素子の相対発光時間に対する輝度劣化量の割合と、輝度比に対する輝度劣化量の割合が異なるからである。図６は、輝度の積分効果を説明する図である。図６で、相対発光時間Ｔ１で発光する画素群３１の輝度比がａで、相対発光時間Ｔ２で発光する画素３３の輝度比がｂであるとする。画素群３１が発光する色を画素３３が発光する色よりも人間が強く感ずるには、ａＴ１＞ｂＴ２の条件が成立する必要がある。したがって、（ｂ／ａ）×（Ｔ２／Ｔ１）＜１になる必要がある。
【００４３】
この不等式は、輝度比の比よりも相対発光時間の比が小さくなればユニット・パターンの中に２種類の色が含まれていても人間は一方の色を感ずることができるということを意味する。具体的に調整周期が４の場合について説明すると、画素群３１は相対発光時間Ｔ１が３／４のときに輝度比ａが４／３であるとする。また、画素３３は相対発光時間Ｔ２が１／４のときに輝度比ｂが４であるとする。この場合、画素群３１の積分輝度は（４／３）×３＝４となり、画素３３の積分輝度は４×１＝４となって両者は等しくなり（ｂ／ａ）×（Ｔ２／Ｔ１）＝１となる。このような条件で赤、緑、青の３つのサブ画素を表示したときは、人間が感ずる色は灰色になって色相がなくなるため色を表示することができない。したがって、発光素子が相対発光時間の比と輝度比の比が反比例するように劣化する場合は積分効果を期待することはできない。また、調整周期を２にした場合は、ユニット・パターン数も２になるため、たとえば色支配画素で赤と緑のサブ画素を発光させ劣化調整画素で青を表示させて各サブ画素の相対輝度劣化量が同一に進行するように調整すると、ユニット画素群は灰色を表示するようになるため調整周期の最低値は３にする必要がある。
【００４４】
［発光パターン数２の例］
図７は、調整周期を４にして発光パターン数を２にしたときの固定パターン１０の表示方法を説明する図である。図７が図２と異なるのは、発光パターンＣはいずれのサブ画素も発光させないようにし、かつ、発光パターンＡ、Ｂで発光する画素は、赤と緑のサブ画素の輝度比を表１に基づいて１．１６にしている点だけである。これは、発光パターンＤの相対発光時間は１／４で変化しないが、発光パターンＡ、Ｂの相対発光時間は２／４に変化しているために輝度比をそれに応じて変えたためである。したがって、各ユニット・パターンは発光パターンＡ、Ｂで表示する色支配画素と発光パターンＤで表示する劣化調整画素と発光パターンＣで発光する中間画素を含む。中間画素は発光を停止している画素をいう。このように表示させても、１回の調整周期が完了した時点で各画素２１、２３、２５、２７は、各発光パターンＡ、Ｂ、Ｃ、Ｄを単位発光時間ずつ表示することになり、表１より各画素２１、２３、２５、２７に含まれるサブ画素の相対輝度劣化量は等しくなる。
【００４５】
［画素マトリクス］
図８は、ＯＥＬＤに表示された固定パターン１０を表示する画素の一部を示す画素マトリクス１００を示す図である。画素マトリクス１００は、５個の水平ラインと１０個の垂直ラインで示している。画素マトリクス１００は、各水平ライン上に隣接するように繰り返し配置された複数のユニット画素群２０が、図２、図３で説明したユニット・パターンを表示する。偶数の水平ライン上のユニット画素群同士および奇数の水平ライン上のユニット画素群同士は、垂直ライン上の発光パターンが一致している。偶数の水平ライン上のユニット画素群と奇数の水平ライン上のユニット画素群は、水平方向に２画素分だけ位相がずれている。画素マトリクス１００の各画素は、調整周期の間に時間軸上で４つの画像パターン１〜４を表示する。図８には、画像パターン１を表示する１０×５個の各画素の発光パターンをＡ〜Ｄで示している。
【００４６】
図９は、図８の画素マトリクス１００が表示する画面の様子を示す図である。図９では白塗りの画素は黄色を表示し、模様のついた画素は青色を表示している。この例では、調整周期が４で色支配画素に対する発光パターン数と劣化調整画素に対する発光パターン数が３対１で構成されている。そして、奇数の水平ライン同士および偶数の水平ライン同士では、同一の垂直ライン上にある画素が同じ色を表示している。また、偶数の水平ライン上の画素と奇数の水平ライン上の画素が表示する色は相互に、水平方向に２発光パターンだけ位相がシフトしている。このように表示することで、青を表示する調整画素が画素マトリクス１００において平面的に均等に配置され、ユーザが認識する色支配画素が表示する色をより均等にすることができる。
【００４７】
［他の調整周期に対する画像パターン］
図１０は、画素マトリクス１００にさまざまな調整周期のユニット・パターンを適用したときの画像パターンを示す図である。図１０（Ａ）の画像パターンは、調整周期が３で黄色を表示する２個の発光パターンと青色を表示する１個の発光パターンを含むユニット・パターンで構成されている。青色の発光パターンを表示する画素の間には黄色の発光パターンを表示する２個の画素が挿入されているため水平ラインの位相を順番に１画素ずつシフトしている。その結果、青色の画素は斜め方向のストライプになる。
【００４８】
図１０（Ｂ）の画像パターンは、調整周期が５で黄色を表示する４個の発光パターンと青色を表示する１個の発光パターンで構成されている。青色の発光パターンを表示する画素の間には黄色の発光パターンを表示する４個の画素が挿入されているため
青色の発光パターンを表示する画素の空間密度は部分的に偏っている。図１０（Ｃ）の画像パターンは、調整周期が６で黄色を表示する５個の発光パターンと青色を表示する１個の発光パターンで構成されている。青色の発光パターンを表示する画素の間には黄色の発光パターンを表示する５個の画素が挿入されているため水平ラインの位相を順番に３画素ずつシフトしている。その結果、偶数の水平ラインと奇数の水平ラインでは垂直ライン上の発光パターンが一致し、青色の画素は空間的にバランスよく配置される。
【００４９】
［空間軸を垂直ラインにした画素マトリクス］
図１１は、図２に示したユニット画素群を、垂直方向の空間軸に複数個隣接して配置した画素マトリクス２００を示す図である。この場合発光パターンＡ、Ｂ、Ｃ、Ｄは、時間軸上で画像パターンが切り換わるごとに垂直ライン上で順番に遷移する。また、偶数の垂直ライン上にある画素と奇数の垂直ライン上にある画素は、同一の水平ライン上において同じ発光パターンを発光する。奇数の垂直ライン上の画素が表示する発光パターンと偶数の垂直ライン上の画素が発光する発光パターンは、垂直方向に２画素分だけ位相がシフトしている。これまで、劣化調整画素は１個の例だけを示したが、色支配画素の積分輝度が劣化調整画素の積分輝度よりも大きくなればよいので、劣化調整画素は１個に限定する必要はない。
【００５０】
また、色支配画素では黄色を表示する例を示したが、色支配画素では赤と青のサブ画素を同じ輝度で発光させてマゼンタにし、劣化調整画素を緑色にすることもできる。また、色支配画素で青色と緑色のサブ画素を同じ輝度で発光させてシアンにし、劣化調整画素を赤色にすることもできる。本発明にかかる時分割巡回方式を採用すれば、このように複数の色を表示できるので、図１の固定パターン１０について星形領域１３を黄色で表示し、十字領域１５をマゼンタで表示し、円形領域１７をシアンで表示することも可能になる。さらに、色支配画素を構成する各画素では、２つのサブ画素を同じ輝度で発光させる例を説明したが、色支配画素の各画素における２つのサブ画素を異なる輝度で発光させることもできる。
【００５１】
［色支配画素が異なる色を表示する例］
図１２は、ユニット画素群２０の色支配画素を構成するサブ画素を異なる輝度で発光させる例を示す図である。図３の例と同様に調整周期を４にして、赤色のサブ画素は相対発光時間を３／４、輝度比を１．０６とし、緑色のサブ画素は相対発光時間を２／４、輝度比を１．１６、青色のサブ画素は相対発光時間を１／４、輝度比を１．３７にすることで、各サブ画素の相対輝度劣化量と背景画像を表示する画素の相対輝度劣化量を一致させることができる。ここでは一例として、図２に示した発光パターンＡとＣでは、赤色のサブ画素の輝度比を１．０６で緑色のサブ画素の輝度比を１．１６にする。発光パターンＢでは、赤色のサブ画素の輝度比を１．０６にする。発光パターンＤでは、青色のサブ画素の輝度比を３．１８にする。そして、図１２のようにユニット画素群２０が各ユニット・パターンを、時分割巡回方式で表示すれば、発光パターンＡとＣを合成した積分輝度が最も高くなって全体の色を支配し、発光パターンＢと発光パターンＤはその中に点在して、発光パターンＡ、Ｂ、Ｃ、Ｄを表示するユニット画素群２０が全体として図２の色とは異なる色を表示するようになる。
【００５２】
［電子機器の構成］
図１３は、図１〜図１２までを参照して説明した固定パターンの表示方法を実行する電子機器３００の概略の機能ブロック図である。電子機器３００は、携帯式パーソナル・コンピュータ、携帯電話、自動車の表示パネルなどのようなＯＥＬＤを含む表示装置とすることができる。あるいは電子機器３００は、ＯＬＥＤを外部接続端子に接続して使用する表示装置とすることができる。電子機器３００は、画像データ生成部３０１、パターン・データ格納部３０３、切換イベント生成部３０５、画像データ出力部３０７、およびＯＥＬＤ３０９で構成されている。
【００５３】
画像データ生成部３０１は、プロセッサ、メイン・メモリおよびコンピュータ・プログラムなどで構成され、ＯＥＬＤ３０９に固定パターン以外の画像を表示するためのデータを生成して画像データ出力部３０７に出力する。パターン・データ格納部３０３は、不揮発性のメモリなどで構成され、固定パターンに対応する複数の画像パターンを表示するためのデータを格納する。固定パターンに格納されるデータは、画素マトリクス上での位置と、背景画像の初期輝度に対して輝度比で調整された初期輝度に関する階調の情報を含む。
【００５４】
切換イベント生成部３０５は、画像パターンを切り換えるタイミングとなる切換イベントを生成してパターン・データ格納部３０３に通知する。切換イベント生成部３０５は、時間計測器よりＯＥＬＤの動作時間に関する情報を取得して、画像パターンを切り換えるタイミングを計算して切換イベントを生成する。本実施形態では、単位発光時間は１０時間程度〜数日間といったように比較的長い時間を選定することができる。単位発光時間はさほど厳密に管理する必要がないので、切換イベント生成部３０５は、電子機器が日常ほぼ一定の時間だけ動作するような携帯式パーソナル・コンピュータの場合には、パワー・オンのタイミングで切換イベントを生成してもよい。
【００５５】
パターン・データ格納部３０３は、切換イベントを受け取るたびに、画像データ出力部３０７に送出する画像パターンを切り換える。画像データ出力部３０７はバッファを含み、画像データ生成部３０１から受け取った画像データおよびパターン・データ格納部３０３から受け取った画像パターンのデータをバッファに展開して、所定のタイミングで表示の順番にＯＥＬＤに出力する。ＯＥＬＤ３０９は、画像データ生成部３０１で生成した画像データおよびパターン・データ格納部３０３から出力された画像パターンを表示する。これまで、ディスプレイとしてＯＥＬＤを例示して説明してきたが、本発明はＰＤＰ（Plasma Display Panel）などの他の自発光型方式のディスプレイに適用することもできる。
【００５６】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００５７】
１０…固定パターン
１１…背景画像
２０…ユニット画素群
２１、２３、２５、２７…画素
１００、２００…画素マトリクス
３００…電子機器
【図１】
2011017746.tif 000005
【図２】
2011017746.tif 000006
【図３】
2011017746.tif 000007
【図４】
2011017746.tif 000008
【図５】
2011017746.tif 000009
【図６】
2011017746.tif 000010
【図７】
2011017746.tif 000011
【図８】
2011017746.tif 000012
【図９】
2011017746.tif 000013
【図１０】
2011017746.tif 000014
【図１１】
2011017746.tif 000015
【図１２】
2011017746.tif 000016
【図１３】
2011017746.tif 000017